(57)【要約】【課題】簡便な構成で従来と同等の特性を保ち、より安価な双方向光通信を可能とするボールレンズ及び双方向送受信モジュールを得ることにある。【解決手段】ボールレンズは、一対の半球レンズを、多層膜フィルタを介して一体に接合して成る。多層膜フィルタは、２波長を分離する多膜層又は平板ガラスに積層され、その径は、半球レンズの径と同じ、小径又は大径である。一方の半球面には、反射防止膜が形成されている。光送受信モジュールは、光ファイバと発光素子又は受光素子とを対向すると共にこれらの間に上述のボールレンズを配し、光ファイバと発光素子又は受光と結ぶ線分に対して直交する方向に受光素子又は発光素子を配し、ボールレンズの多層膜フィルタを線分に対して４５°傾けた。【選択図】　　　図１
2004037928.tif 000002
【特許請求の範囲】
【請求項１】
一対の半球レンズを、多層膜フィルタを介して一体に接合して成ることを特徴とするボールレンズ。
【請求項２】
請求項１記載のボールレンズにおいて、前記多層膜フィルタは、２波長を分離する多膜層で構成されていることを特徴とするボールレンズ。
【請求項３】
請求項１記載のボールレンズにおいて、前記多層膜フィルタは、２波長を分離する多膜層と、この多層膜を積層した平板ガラスとで構成されていることを特徴とするボールレンズ。
【請求項４】
請求項１記載のボールレンズにおいて、前記多層膜フィルタは、前記半球レンズに形成されていることを特徴とするボールレンズ。
【請求項５】
請求項１記載のボールレンズにおいて、前記多層膜フィルタの径は、前記半球レンズの径と同じであることを特徴とするボールレンズ。
【請求項６】
請求項１記載のボールレンズにおいて、前記多層膜フィルタの径は、前記半球レンズの径より小さいことを特徴とするボールレンズ。
【請求項７】
請求項１記載のボールレンズにおいて、前記多層膜フィルタの径は、前記半球レンズの径より大きいことを特徴とするボールレンズ。
【請求項８】
請求項１記載のボールレンズにおいて、前記半球レンズの何れか一方の半球面には、反射防止膜が形成されていることを特徴とするボールレンズ。
【請求項９】
請求項１記載のボールレンズにおいて、前記半球レンズに反射防止膜を形成するとともに、前記多層膜フィルタと直交する前記一対の半球レンズの端部側に面取り部を形成して成ることを特徴とするボールレンズ。
【請求項１０】
光ファイバにより双方向に伝送される光を送受信する光送受信モジュールにおいて、受光素子と発光素子の間に、請求項１ないし請求項９の何れか１項記載のボールレンズを配して成ることを特徴とする光送受信モジュール。
【請求項１１】
請求項１０記載の光送受信モジュールにおいて、前記光ファイバと前記発光素子とを対向するとともにこれらの間に前記ボールレンズを配し、前記光ファイバと前記発光素子とを結ぶ線分に対して直交する方向に前記受光素子を配し、前記ボールレンズの前記多層膜フィルタを前記線分に対して４５°傾けていることを特徴とする光送受信モジュール。
【請求項１２】
請求項１０記載の光送受信モジュールにおいて、前記光ファイバと前記受光素子とを対向するとともにこれらの間に前記ボールレンズを配し、前記光ファイバと前記受光素子とを結ぶ線分に対して直交する方向に前記発光素子を配し、前記ボールレンズの前記多層膜フィルタを前記線分に対して４５°傾けていることを特徴とする光送受信モジュール。
【発明の詳細な説明】
【０００１】
【発明の属する技術分野】
本発明は、光ファイバ、発光素子、受光素子、多層膜フィルタ、集光レンズなどを用いた光通信などに用いられる双方向の光送受信モジュールおよびこれに用いられるボールレンズに関する。
【０００２】
【従来の技術】
従来、双方向の光送受信モジュールとしては、例えば、特開２０００−１８０６７１号公報などに開示されるものが知られている。
その一例を図１１に示す。
双方向の光送受信モジュール１００は、光ファイバ（シングルモードファイバ）１０１と、発光素子（ＬＤ）１０３を含んだボールレンズ１０４付きＬＤ−ＣＡＮ１０２と、受光素子（ＰＤ）１０６を含んだボールレンズ１０７付きＰＤ−ＣＡＮ１０５と、多層膜フィルタ１０８とを金属製筐体１０９で固定した構造になっている。
【０００３】
双方向の光送受信モジュール１００によれば、例えば、１３１０ｎｍの送信、１５５０ｎｍの受信、または、１５５０ｎｍの送信、１３１０ｎｍの受信を１本の光ファイバ１０１で行うことができる。
【０００４】
【発明が解決しようとする課題】
ところが、双方向の光送受信モジュール１００では、それぞれの調心（Ｘ／Ｙ／Ｚ軸）が必須であり、多くの時間を要するという問題があった。
その一例を挙げると、位置決め（調心）が必要な箇所として、下記のようなものがある。
・ＬＤ−ＣＡＮ１０２のボールレンズ１０４の位置決め
・ＰＤ−ＣＡＮ１０５のボールレンズ１０７の位置決め
・金属製筐体１０９とＬＤ−ＣＡＮ１０２との位置決め
・金属製筐体１０９とＰＤ−ＣＡＮ１０５との位置決め
・金属製筐体１０９と光ファイバ１０１との位置決め
また、双方向の光送受信モジュール１００では、複数の部品が必要である。
【０００５】
したがって、双方向の光送受信モジュール１００では、安価なモジュール作製は困難であるといった問題があった。
本発明は斯かる従来の問題点を解決するために為されたもので、その目的は、簡便な構成で従来と同等の特性を保ち、より安価な双方向光通信を可能とするボールレンズおよびこれを用いた双方向の送受信モジュールを提供することにある。
【０００６】
【課題を解決するための手段】
請求項１に係る発明は、一対の半球レンズを、多層膜フィルタを介して一体に接合して成ることを特徴とする。
請求項２に係る発明は、請求項１記載のボールレンズにおいて、前記多層膜フィルタは、２波長を分離する多膜層で構成されていることを特徴とする。
請求項３に係る発明は、請求項１記載のボールレンズにおいて、前記多層膜フィルタは、２波長を分離する多膜層と、この多層膜を積層した平板ガラスとで構成されていることを特徴とする。
【０００７】
請求項４に係る発明は、請求項１記載のボールレンズにおいて、前記多層膜フィルタは、前記半球レンズに形成されていることを特徴とする。
請求項５に係る発明は、請求項１記載のボールレンズにおいて、前記多層膜フィルタの径は、前記半球レンズの径と同じであることを特徴とする。
請求項６に係る発明は、請求項１記載のボールレンズにおいて、前記多層膜フィルタの径は、前記半球レンズの径より小さいことを特徴とする。
【０００８】
請求項７に係る発明は、請求項１記載のボールレンズにおいて、前記多層膜フィルタの径は、前記半球レンズの径より大きいことを特徴とする。
請求項８に係る発明は、請求項１記載のボールレンズにおいて、前記半球レンズの何れか一方の半球面には、反射防止膜が形成されていることを特徴とする。請求項９に係る発明は、請求項１記載のボールレンズにおいて、前記半球レンズに反射防止膜を形成するとともに、前記多層膜フィルタと直交する前記一対の半球レンズの端部側に面取り部を形成して成ることを特徴とする。
【０００９】
請求項１０に係る発明は、光ファイバにより双方向に伝送される光を送受信する光送受信モジュールにおいて、受光素子と発光素子の間に、請求項１ないし請求項９の何れか１項記載のボールレンズを配して成ることを特徴とする。
請求項１１に係る発明は、請求項１０記載の光送受信モジュールにおいて、前記光ファイバと前記発光素子とを対向するとともにこれらの間に前記ボールレンズを配し、前記光ファイバと前記発光素子とを結ぶ線分に対して直交する方向に前記受光素子を配し、前記ボールレンズの前記多層膜フィルタを前記線分に対して４５°傾けていることを特徴とする。
【００１０】
請求項１２に係る発明は、請求項１０記載の光送受信モジュールにおいて、前記光ファイバと前記受光素子とを対向するとともにこれらの間に前記ボールレンズを配し、前記光ファイバと前記受光素子とを結ぶ線分に対して直交する方向に前記発光素子を配し、前記ボールレンズの前記多層膜フィルタを前記線分に対して４５°傾けていることを特徴とする。
【００１１】
【発明の実施の形態】
以下、本発明を図面に示す実施形態に基づいて説明する。
図１は、本発明の第一実施形態に係るボールレンズを示す（請求項１、２、４、５に相当する）。
本実施形態に係るボールレンズ１は、例えば、公知のボールレンズの材料であるＢＫ７にて形成された一対の半球レンズ２，３と、一方の半球体２の端面２ａにガラスとほぼ同等の屈折率を有するガラス系ＵＶ硬化接着剤などによって接合された多層膜フィルタ４とを備え、一対の半球レンズ２，３を、端面２ａ，３ａ同士に多層膜フィルタ４を配してガラス系ＵＶ硬化接着剤などによって一体に接合されている。
【００１２】
多層膜フィルタ４は、例えば、１３１０ｎｍと１５５０ｎｍとの２波長を分離する多膜層で構成されている。多層膜としては、例えば、ＴｉＯ２、Ｔａ２Ｏ５などの高屈折率物質と、ＳｉＯ２などの低屈折率物質とを交互に積層することによって構成されている。
多層膜フィルタ４は、予め一方の半球レンズ２の端面２ａ全面に接着されている。
【００１３】
多層膜フィルタ４の径４ｒは、一対の半球レンズ２，３の径２ｒ，３ｒと同じにしてある。
なお、本実施形態では、多層膜フィルタ４として、一方の半球レンズ２の端面２ａ全面に直接接着する場合について説明したが、多層膜を積層した平板ガラスを用いても良い（請求項３に対応する）。
【００１４】
図２は、本発明の第二実施形態に係るボールレンズを示す（請求項１、３、６に相当する）。
本実施形態に係るボールレンズ１０は、例えば、公知のボールレンズの材料であるＢＫ７にて形成された一対の半球レンズ１１，１２と、一対の半球レンズ１１，１２間に両半球体１１，１２の径１１ｒ，１２ｒより小さい径１３ｒを有する多層膜フィルタ１３とを備え、一対の半球レンズ１１，１２を、端面１１ａ，１２ａ同士に多層膜フィルタ１３を配してガラス系ＵＶ硬化接着剤などによって一体に接合されている。
【００１５】
多層膜フィルタ１３は、例えば、１３１０ｎｍと１５５０ｎｍとの２波長を分離する多膜層を平板ガラス上に積層することによって構成されている。多層膜としては、例えば、ＴｉＯ２、Ｔａ２Ｏ５などの高屈折率物質と、ＳｉＯ２などの低屈折率物質とを交互に積層することによって構成されている。
なお、本実施形態では、多層膜フィルタ１３として、一対の半球レンズ１１，１２間に多層膜を積層した平板ガラスを配する場合について説明したが、一方の半球レンズ１１または１２の端面１１ａまたは１２ａに予め直接接着しておいても良い（請求項３に対応する）。
【００１６】
図３は、本発明の第三実施形態に係るボールレンズを示す（請求項１、３、７に相当する）。
本実施形態に係るボールレンズ２０は、例えば、公知のボールレンズの材料であるＢＫ７にて形成された一対の半球レンズ２１，２２と、一対の半球レンズ２１，２２間に両半球体２１，２２の径２１ｒ，２２ｒより大きな径２３ｒを有する多層膜フィルタ２３とを備え、一対の半球レンズ２１，２２を、端面２１ａ，２２ａ同士に多層膜フィルタ２３を配してガラス系ＵＶ硬化接着剤などによって一体に接合されている。
【００１７】
多層膜フィルタ２３は、例えば、１３１０ｎｍと１５５０ｎｍとの２波長を分離する多膜層を平板ガラス上に積層することによって構成されている。多層膜としては、例えば、ＴｉＯ２、Ｔａ２Ｏ５などの高屈折率物質と、ＳｉＯ２などの低屈折率物質とを交互に積層することによって構成されている。
図４は、本発明の第四実施形態に係るボールレンズを示す（請求項１、３、７、８に相当する）。
【００１８】
本実施形態に係るボールレンズ４０は、図３に示すボールレンズ２０の一方の半球体２１（または２２）の球面２１ｂ（または２２ｂ）全面に反射防止膜４１を形成している。
反射防止膜４１としては、例えば、Ａｌ２Ｏ３、ＳｉＯ２、ＳｉＯ、ＳｉＮなどによって構成されている。
【００１９】
図５は、本発明の第五実施形態に係るボールレンズを示す（請求項１、３、７、９に相当する）。
本実施形態に係るボールレンズ５０は、図４に示すボールレンズ４０の多層膜フィルタ２３と直交する一対の半球レンズ２１，２２の端部側に面取り部５１を形成している。
【００２０】
以上のように、本発明の第一実施形態ないし第五実施形態に係るボールレンズ１，１０，２０，４０，５０によれば、一対の半球体２，３、１１，１２、２１，２２が何れもそれぞれの端面２ａ，３ａ、１１ａ，１２ａ、２１ａ，２２ａに多層膜フィルタ４，１３，２３を挟んで一体的に接合されているので、従来の双方向光通信用モジュールにおいて、ボールレンズとは別途に必要とされていた多層膜フィルタ、およびその固定ならびに固定に要する部品の削減が可能となる。
【００２１】
また、一対の半球体２，３、１１，１２、２１，２２間に接合された多層膜フィルタ４，１３，２３が、位置決めの機能を発揮し、従来より位置決めに要する手間暇を削減することが可能となる。
また、ボールレンズ４０，５０のように、反射防止膜４１を施した場合には、反射防止膜４１によって生じる段差により、多層膜フィルタ４，１３，２３の有無の確認が容易となる。
【００２２】
また、ボールレンズ５０のように、端部に面取り部５１があると、位置決めが容易となる。
なお、本実施形態では、反射防止膜４１を、一方の半球体２１に設けた場合について説明したが、他方の半球体２２に設けても良いし、また両方に設けても良い。
次に、斯くして構成された本発明の第一実施形態ないし第五実施形態に係るボールレンズ１，１０，２０，４０，５０を用いた光送受信モジュールについて説明する（請求項１０，１１，１２に対応する）。
【００２３】
図６は、本発明の第一実施形態に係るボールレンズ１を用いた光送受信モジュールを示す一実施形態を示す原理図である。
図６（ａ）に示す本実施形態においては、光ファイバ６１と、この光ファイバ６１の光路に対してボールレンズ１および１３１０ｎｍの波長を送出する発光素子（ＬＤ）６２を一直線上に配し、光ファイバ６１の光路に対して直交する位置に１５５０ｎｍの波長を受ける受光素子（ＰＤ）６３を配している。
【００２４】
そして、ボールレンズ１は、光ファイバ６１の光路に対して多層膜フィルタ４を４５°傾けている。
また、多層膜フィルタ４は、１３１０ｎｍを通過し、１５５０ｎｍを反射するように構成されている。
斯くして構成された本実施形態によれば、光ファイバ６１から１５５０ｎｍの波長が送られてくると、ボールレンズ１の多層膜フィルタ４では、これを反射し、受光素子（ＰＤ）６３に集光することができる。
【００２５】
同時に、発光素子（ＬＤ）６２から１３１０ｎｍの波長が送出されると、ボールレンズ１の多層膜フィルタ４では、これを通過させ、光ファイバ６１に集光されることができる。
図６（ｂ）に示す本実施形態においては、光ファイバ６１と、この光ファイバ６１の光路に対してボールレンズ１および１５５０ｎｍの波長を送出する発光素子（ＬＤ）６２を一直線上に配し、光ファイバ６１の光路に対して直交する位置に１３１０ｎｍの波長を受ける受光素子（ＰＤ）６３を配している。
【００２６】
そして、ボールレンズ１は、光ファイバ６１の光路に対して多層膜フィルタ４を４５°傾けている。
また、多層膜フィルタ４は、１５５０ｎｍを通過し、１３１０ｎｍを反射するように構成されている。
斯くして構成された本実施形態によれば、光ファイバ６１から１３１０ｎｍの波長が送られてくると、ボールレンズ１の多層膜フィルタ４では、これを反射し、受光素子（ＰＤ）６３に集光することができる。
【００２７】
同時に、発光素子（ＬＤ）６２から１５５０ｎｍの波長が送出されると、ボールレンズ１の多層膜フィルタ４では、これを通過させ、光ファイバ６１に集光されることができる。
以上のように、本実施形態によれば、ボールレンズ１の多層膜フィルタ４における多層膜の構成を変えることによって、発光素子（ＬＤ）６２および受光素子（ＰＤ）６３の波長を変えることが可能となる。
【００２８】
図７は、本発明の第一実施形態に係るボールレンズ１を用いた光送受信モジュールを示す別の実施形態を示す原理図である。
図７（ａ）に示す本実施形態においては、光ファイバ７１と、この光ファイバ７１の光路に対してボールレンズ１および１３１０ｎｍの波長を受ける受光素子（ＰＤ）７２を一直線上に配し、光ファイバ７１の光路に対して直交する位置に１５５０ｎｍの波長を送出する発光素子（ＬＤ）７３を配している。
【００２９】
そして、ボールレンズ１は、光ファイバ７１の光路に対して多層膜フィルタ４を４５°傾けている。
また、多層膜フィルタ４は、１３１０ｎｍを通過し、１５５０ｎｍを反射するように構成されている。
斯くして構成された本実施形態によれば、光ファイバ７１から１３１０ｎｍの波長が送られてくると、ボールレンズ１の多層膜フィルタ４では、これを通過させ、受光素子（ＰＤ）７２に集光することができる。
【００３０】
同時に、発光素子（ＬＤ）７３から１５５０ｎｍの波長が送出されると、ボールレンズ１の多層膜フィルタ４では、これを反射し、光ファイバ７１に集光されることができる。
図７（ｂ）に示す本実施形態においては、光ファイバ７１と、この光ファイバ７１の光路に対してボールレンズ１および１５５０ｎｍの波長を受ける受光素子（ＰＤ）７２を一直線上に配し、光ファイバ７１の光路に対して直交する位置に１３１０ｎｍの波長を送出する発光素子（ＬＤ）７３を配している。
【００３１】
そして、ボールレンズ１は、光ファイバ７１の光路に対して多層膜フィルタ１を４５°傾けている。
また、多層膜フィルタ４は、１５５０ｎｍを通過し、１３１０ｎｍを反射するように構成されている。
斯くして構成された本実施形態によれば、光ファイバ７１から１５５０ｎｍの波長が送られてくると、ボールレンズ１の多層膜フィルタ４では、これを通過させ、受光素子（ＰＤ）７２に集光することができる。
【００３２】
同時に、発光素子（ＬＤ）７３から１３１０ｎｍの波長が送出されると、ボールレンズ２０の多層膜フィルタ４では、これを反射し、光ファイバ７１に集光されることができる。
以上のように、本実施形態によれば、ボールレンズ１の多層膜フィルタ４における多層膜の構成を変えることによって、発光素子（ＬＤ）７３および受光素子（ＰＤ）７２の波長を変えることが可能となる。
【００３３】
なお、図６および図７においては、本発明の第一実施形態に係るボールレンズ１を用いて説明したが、本発明の第二実施形態ないし第五実施形態に係るボールレンズ１０，２０，４０，５０でも同様の作用効果を奏することが可能である。
図８および図９は、本発明の第三実施形態に係るボールレンズ２０を用いた光送受信モジュールの一実施形態を示す（請求項１０、１１、１２に対応する）。
【００３４】
本実施形態に係る光送受信モジュール８０は、金属製筐体８１と、金属製筐体８１内に装着されるボールレンズ２０と、金属製筐体８１内に装着される受光素子（ＰＤ）８４と、金属製筐体８１内に装着される発光素子（ＬＤ）８６と、金属製筐体８１に取り付けられる光ファイバ８８とで構成されている。
ボールレンズ２０を入れる穴部８２は、属製蓋８９により閉鎖されるようになっている。
【００３５】
金属製筐体８１には、ボールレンズ２０を入れる穴部８２と、受光素子（ＰＤ）８４を入れる穴部８３と、発光素子（ＬＤ）８６を入れる穴部８５と、光ファイバ８８を挿通する穴部８７とが穿たれている。
ボールレンズ２０を入れる穴部８２は、金属製筐体８１の一側面から中心に向かって穿たれている。
【００３６】
受光素子（ＰＤ）８４を入れる穴部８３は、穴部８２に対して直交するように、金属製筐体８１を９０°ずらした別の側面から金属筐体８１の中心に向かって穿たれている。
発光素子（ＬＤ）８６を入れる穴部８５と光ファイバ８８を挿通する穴部８７とは、穴部８２と直交するとともに、穴部８３に対して９０°ずらした別の側面から金属製筐体８１を貫通して穿たれている。
【００３７】
ボールレンズ２０は、多層膜フィルタ２３を接着剤８２ａで固定することにより、穴部８２に固定されている。
受光素子（ＰＤ）８４は、端子８４ｂを有するステム８４ａに固定され、ステム８４ａを接着剤８３ａで固定することにより、穴部８３に固定されている。
発光素子（ＬＤ）８６は、端子８６ｂを有するステム８６ａに固定され、ステム８６ａを接着剤８５ａで固定することにより、穴部８５に固定されている。
【００３８】
光ファイバ８８は、穴部８７に接着剤８７ａによって固定されている。
本実施形態に係る光送受信モジュール８０においても、光ファイバ８８とボールレンズ２０との延長線上に発光素子（ＬＤ）８６が配され、光ファイバ８８とボールレンズ２０との延長線上に対し９０°の位置に受光素子（ＰＤ）８４が配され、ボールレンズ２０で反射された波長が受光できるように、ボールレンズ２０の多層膜フィルタ２３が４５°に傾斜されている。
【００３９】
従って、本実施形態に係る光送受信モジュール８０においても、図６および図７に示す原理図に示した作用効果を奏することが可能となる。
また、本実施形態によれば、従来５回程度行っていた位置決め（調心）を２回程度に減少させ、製作時間の短縮を図ることが可能となる。
また、多層膜フィルタ４とボールレンズ１を一体形成することによって、フィルタ固定用部品やボールレンズを削減でき、構造の複雑さを取り除き、より安価な双方向光通信用モジュール８０の提供が可能となる。
【００４０】
図１０は、本発明の第一実施形態に係るボールレンズ１を用いた光送受信モジュールの一実施形態を示す（請求項１０、１１、１２に対応する）。
本実施形態に係る光送受信モジュール９０は、ボールレンズ１と、このボールレンズ１を取り付ける穴部９２を設けた円筒形状の筒体９１と、筒体９１内に配した台座９２と、台座９２に取り付ける受光素子（ＰＤ）９３と、台座９２に取り付ける発光素子（ＬＤ）９４と、台座９２に取り付けるモニタ用受光素子９５と、台座９２に取り付けるＰｒｅ−Ａｍｐ９６と、筒体９１の開口部を覆うステム９７と、このステム９７に設けた端子９８と、ボールレンズ１の上方に配される光ファイバ９９とで構成されている。
【００４１】
本実施形態に係る光送受信モジュール９０においても、光ファイバ９９とボールレンズ１との延長線上に発光素子（ＬＤ）９４が配され、光ファイバ９９とボールレンズ１との延長線上に対し９０°の位置に受光素子（ＰＤ）９３が配され、ボールレンズ１で反射された波長が受光できるように、ボールレンズ１の多層膜フィルタ４が４５°に傾斜されている。
【００４２】
従って、本実施形態に係る光送受信モジュール９０においても、図６および図７に示す原理図に示した作用効果を奏することが可能となる。
また、本実施形態によれば、従来５回程度行っていた位置決め（調心）を２回程度に減少させ、製作時間の短縮を図ることが可能となる。
また、多層膜フィルタ４とボールレンズ１を一体形成することによって、フィルタ固定用部品やボールレンズを削減でき、構造の複雑さを取り除き、より安価な双方向光通信用モジュール８０の提供が可能となる。
【００４３】
【発明の効果】
以上のように、本発明によれば、一対の半球体がそれぞれの端面に多層膜フィルタを挟んで一体的に接合されているので、従来の双方向光通信用モジュールのように、ボールレンズとは別途に必要とされていた多層膜フィルタ、およびその固定ならびに固定に要する部品の削減が可能となる。
また、一対の半球体間に接合された多層膜フィルタが、位置決めの機能を発揮し、従来より位置決めに要する手間暇を削減することが可能となる。
【００４４】
また、ボールレンズに反射防止膜を施した場合には、反射防止膜によって生じる段差により、多層膜フィルタの有無の確認が容易となる。
また、端部に面取り部があると、位置決めが容易となる。
また、本発明によれば、一対の半球レンズと多層膜フィルタとを一体化させることによって、受光素子および発光素子からボールレンズを削減することが可能となり、位置決め時間を短縮することが可能となる。
【００４５】
また、光ファイバと受光素子間の半球レンズを４５°に傾けた構造にすることで、通常のボールレンズと同様の効果を得ることができる。
また、ある波長の光を多層膜フィルタで反射して受光側に集光し、別の波長の光を多層膜フィルタで透過し光ファイバ側に集光させることが可能となる。
また、多層膜フィルタを、半球レンズよりも大きくもしくは小さくすることによって、位置決めが容易となり、精度の高い集光が可能となる。
【図面の簡単な説明】
【図１】本発明の第一実施形態に係るボールレンズを示す図である。
【図２】本発明の第二実施形態に係るボールレンズを示す図である。
【図３】本発明の第三実施形態に係るボールレンズを示す図である。
【図４】本発明の第四実施形態に係るボールレンズを示す図である。
【図５】本発明の第五実施形態に係るボールレンズを示す図である。
【図６】本発明の第一実施形態に係るボールレンズを用いた光送受信モジュールを示す一実施形態を示す原理図である。
【図７】本発明の第一実施形態に係るボールレンズを用いた光送受信モジュールを示す別の実施形態を示す原理図である。
【図８】本発明の第三実施形態に係るボールレンズを用いた光送受信モジュールの一実施形態を示す図である。
【図９】図８におけるＸ−Ｘ線に沿った断面図である。
【図１０】本発明の第一実施形態に係るボールレンズを用いた光送受信モジュールの一実施形態を示す図である。
【図１１】従来のボールレンズを用いた光送受信モジュールの一実施形態を示す図である
【符号の説明】
１，１０，２０，４０，５０　ボールレンズ
２，３，１１，１２，２１，２２　半球レンズ
４，１３，２３　多層膜フィルタ
４１　反射防止膜
５１　面取り部
６１，７１，８８，９９光ファイバ
６２，７３，８６，９４　発光素子（ＬＤ）
６３，７２，８４，９３　受光素子（ＰＤ）
７０，８０，９０　光送受信モジュール
【図１】
2004037928.tif 000003
【図２】
2004037928.tif 000004
【図３】
2004037928.tif 000005
【図４】
2004037928.tif 000006
【図５】
2004037928.tif 000007
【図６】
2004037928.tif 000008
【図７】
2004037928.tif 000009
【図８】
2004037928.tif 000010
【図９】
2004037928.tif 000011
【図１０】
2004037928.tif 000012
【図１１】
2004037928.tif 000013